(57)【要約】【課題】汎用性のある情報コンセントにおいて、ＦＴＴＨの先行配線が可能となるとともに、光ケーブルの交換作業が容易な情報コンセントを提供する。【解決手段】情報コンセントは、加入者線のケーブルと接続される加入者線接続部３０と、通信機器とＬＡＮケーブルにて接続されるＬＡＮケーブル接続部２０と、ＯＮＵと光ケーブルにて接続される光コンセント部１０と、加入者線接続部３０、ＬＡＮケーブル接続部２０、及び光コンセント部１０を一体的に収容するハウジングとを備える。そして、ハウジングには、壁面の裏面側に配線された第１光ケーブルの端部に設けられたプラグを接続するレセクタプル１１が取り付けられ、且つ、ハウジングには、第１光ケーブルの余長分が許容最小曲率半径より大きい曲率半径で巻き付ける外側巻付部６２及び内側巻付部６３を有する余長収容部６０が形成される。【選択図】図４
2010146970.tif 000002
【特許請求の範囲】
【請求項１】
加入者線のケーブルと接続される加入者線接続部と、第１の通信機器とメタル線にて接続されるメタル線接続部と、第２の通信機器と光ケーブルにて接続される光ケーブル接続部と、造営材の表面側に取り付けられるとともに、前記加入者線接続部、メタル線接続部、及び光ケーブル接続部を一体的に収容するハウジングとを備える情報コンセントにおいて、
前記ハウジングには、前記造営材の裏面側に配線された第１光ケーブルの端部に設けられたプラグを接続するとともに、前記第２の通信機器と接続する第２光ケーブルの端部に設けられたプラグを接続することにより、前記第１光ケーブル及び前記第２光ケーブルを互いに光学的に接続する光接続具が取り付けられ、且つ、前記ハウジングには、前記第１光ケーブルの余長分が許容最小曲率半径より大きい曲率半径で巻き付ける巻付部を有する余長収容部が形成される
ことを特徴とする情報コンセント。
【請求項２】
請求項１に記載の情報コンセントにおいて、
前記第１光ケーブルは、前記プラグに挿入されるケーブル部を備え、
前記余長収容部は、前記第１光ケーブルの前記プラグの前記ケーブル部が挿入される背面の付近に配置されるとともに、前記ケーブル部を前記巻付部との間に挟むことにより保持するケーブル保持部を有する
ことを特徴とする情報コンセント。
【請求項３】
請求項１または請求項２に記載の情報コンセントにおいて、
前記余長収容部は、前記造営材の表面側に設けられる
ことを特徴とする情報コンセント。
【請求項４】
請求項１〜請求項３のいずれか一項に記載の情報コンセントにおいて、
前記加入者線接続部及び前記メタル線接続部と、前記光ケーブル接続部とは、前記造営材に別個に取り付けられる
ことを特徴とする情報コンセント。
【請求項５】
請求項１〜請求項４のいずれか一項に記載の情報コンセントにおいて、
当該情報コンセントには、前記加入者線接続部及び前記メタル線接続部の前記造営材からの高さを調整する高さ調整部材が取り付けられる
ことを特徴とする情報コンセント。
【請求項６】
請求項１〜請求項５のいずれか一項に記載の情報コンセントにおいて、
前記ハウジングには、前記造営材の裏面から引き出された前記第１光ケーブルの前記プラグが挿通可能な貫通孔が設けられる
ことを特徴とする情報コンセント。
【請求項７】
請求項１〜請求項６のいずれか一項に記載の情報コンセントにおいて、
前記ハウジングの裏面には、耐火パネルが設けられる
ことを特徴とする情報コンセント。
【請求項８】
請求項１〜請求項７のいずれか一項に記載の情報コンセントにおいて、
前記ハウジングには、テレビ用同軸ケーブルが挿通可能な貫通孔と、前記テレビ用同軸ケーブルを保持する保持部とが設けられる
ことを特徴とする情報コンセント。
【発明の詳細な説明】
【技術分野】
【０００１】
本発明は、加入者線のケーブルと接続される加入者線接続端子と、通信機器とメタル線にて接続されるメタル線接続端子と、通信機器と光ケーブルにて接続される光ケーブル接続端子と、これら加入者線接続端子、メタル線接続端子、及び光ケーブル接続端子を一体的に収容するハウジングとを備える情報コンセントに関する。
【背景技術】
【０００２】
従来から、電話機やファクシミリ等の通信機器に接続されたプラグをそれぞれ接続可能な複数個の接続端子を備える情報コンセントが提供されている。また、近年、ケーブルテレビ用の回線や光ケーブルの回線を用いたインターネットへの接続サービスがあり、従来の電話機用の接続端子では対応できないような多様な通信サービスが提供されている。
【０００３】
上記サービスに対応するため、本出願人は、特許文献１のように、ハウジングに電話機用の接続端子と、ケーブルテレビ用の同軸ケーブルや光ケーブルを挿通可能とする貫通孔を設けた汎用性のある情報コンセントを提案している。
【０００４】
図１５を参照して、特許文献１のような情報コンセントの構造について説明する。
図１５に示すように、情報コンセント１００の外枠を構成するハウジング１１０には、３個のプラグ挿入穴１１１〜１１３と、壁面等の造営材の施工面から引き出された光ケーブルが挿通されるケーブル挿入穴１１４とが設けられている。
【０００５】
これらプラグ挿入穴１１１〜１１３は、電話機用プラグ挿入穴１１１と、ＬＡＮ用プラグ挿入穴１１２，１１３とにより構成されている。そして、ケーブル挿入穴１１４には、光ケーブルＣが情報コンセント１００の裏側から表側へ引き出されている。
【特許文献１】特開２００７−２２７１７５号公報
【発明の開示】
【発明が解決しようとする課題】
【０００６】
ところで、光ケーブルは、家屋等の造営物に設けられるとともに、屋外の電線と光ケーブルを介して接続するキャビネットから情報コンセント１００に向かい配線されている。そして、ケーブル挿入穴１１４を介して情報コンセント１００の裏側から表側へ引き出された光ケーブルは、回線終端装置（ＯＮＵ）に接続されている。そして、回線終端装置は、ルータを介してパソコン等の通信機器に接続されている。したがって、光ケーブルは、造営物に設けられた部屋内にも配線されることとなる。
【０００７】
ここで、情報コンセント１００から回線終端装置に接続される光ケーブルは、何らかの原因によって折れてしまった場合、光ケーブルの光伝送損失が増大してしまう。その結果、光ケーブルを交換必要がある。しかしながら、光ケーブルは、キャビネットから回線終端装置までを直接接続することにより、壁面の内側の光ケーブルの部分から全てを交換する必要があった。そのため、光ケーブルＣの交換作業が困難であった。
【０００８】
その上、光ケーブルが回線終端装置に直接接続されるため、ＦＴＴＨ（Fiber To The Home）を導入する際に、光通信サービスの加入前に光ケーブルの配線を行う、いわゆる、先行配線を行うことができない問題がある。
【０００９】
本発明は、上記実情を鑑みてなされたものであり、その目的とするところは、汎用性のある情報コンセントにおいて、ＦＴＴＨの先行配線が可能となるとともに、光ケーブルの交換作業が容易な情報コンセントを提供することである。
【課題を解決するための手段】
【００１０】
請求項１に記載の発明は、加入者線のケーブルと接続される加入者線接続部と、第１の通信機器とメタル線にて接続されるメタル線接続部と、第２の通信機器と光ケーブルにて接続される光ケーブル接続部と、造営材の表面側に取り付けられるとともに、前記加入者線接続部、メタル線接続部、及び光ケーブル接続部を一体的に収容するハウジングとを備える情報コンセントにおいて、前記ハウジングには、前記造営材の裏面側に配線された第１光ケーブルの端部に設けられたプラグを接続するとともに、前記第２の通信機器と接続する第２光ケーブルの端部に設けられたプラグを接続することにより、前記第１光ケーブル及び前記第２光ケーブルを互いに光学的に接続する光接続具が取り付けられ、且つ、前記ハウジングには、前記第１光ケーブルの余長分が許容最小曲率半径より大きい曲率半径で巻き付ける巻付部を有する余長収容部が形成されることを要旨とする。
【００１１】
この発明によれば、ＦＴＴＨ用の光ケーブルを配線する際において、光接続具を有することにより、光ケーブルを造営材の裏面側に配線される第１光ケーブルと、第２の通信機器に接続される第２光ケーブルとの２つの光ケーブルに分けることができる。したがって、従来構造のように単一の光ケーブルを造営材の裏面から第２の通信機器まで直接配線する必要がないため、ＦＴＴＨを先行配線することができる。
【００１２】
その上、従来構造では、情報コンセントから第２の通信機器に向かい引き出された光ケーブルが折れてしまった場合、造営材の裏面側に配線されている光ケーブル全体の交換が必要であった。その点において、本発明の情報コンセントでは、情報コンセントから第２の通信機器に向かい引き出される光ケーブルは、第２光ケーブルであるため、光接続具から第２光ケーブルを取り外すことにより交換することができる。したがって、第１光ケーブルを交換する必要がなくなるため、従来構造よりも光ケーブルの交換作業を容易に行うことができる。
【００１３】
以上により、本発明では、電話機やファクシミリ等の通信機器への対応、及びＡＤＳＬ等のサービスに対応するのみではなく、光ケーブルによるインターネット接続のサービスに対応可能である汎用の情報コンセントにおいて、ＦＴＴＨの先行配線が可能となるとともに、光ケーブルの交換作業を容易に行うことができる。
【００１４】
請求項２に記載の発明は、請求項１に記載の情報コンセントにおいて、前記第１光ケーブルは、前記プラグに挿入されるケーブル部を備え、前記余長収容部は、前記第１光ケーブルの前記プラグの前記ケーブル部が挿入される背面の付近に配置されるとともに、前記ケーブル部を前記巻付部との間に挟むことにより保持するケーブル保持部を有することを要旨とする。
【００１５】
この発明によれば、ケーブル部がケーブル保持部に接触することにより、ケーブル部が折れることを抑制するため、第１光ケーブルのケーブル部に外力によるストレスが加わることを抑制することができる。その結果、第１光ケーブルに加わるストレスに起因する光伝送損失の増大を抑制することができる。
【００１６】
プラグの背面とケーブル部との連結部分は、背面が支点となることによりケーブル部が曲がることによるストレスを受けやすい。その点において、本発明では、ケーブル保持部がプラグの背面の付近に配置されるため、ケーブル保持部は、プラグの背面とケーブル部との連結部分を保持することができる。その結果、第１光ケーブルに加わるストレスに起因する光伝送損失の増大を効果的に抑制することができる。
【００１７】
請求項３に記載の発明は、請求項１または請求項２に記載の情報コンセントにおいて、前記余長収容部は、前記造営材の表面側に設けられることを要旨とする。
この発明によれば、余長収容部が造営材の表側に設けられることにより、第１光ケーブルの余長を収容する作業を造営材の表面において行うことが可能となる。したがって、造営材の裏面において第１光ケーブルの余長を収容する作業を行う場合と比較して、同作業の作業性を向上させることができる。その上、余長収容部に第１光ケーブルの余長を収容した後、作業者が目視にて、第１光ケーブルの巻き付け具合及び曲がり具合を確認することができる。
【００１８】
請求項４に記載の発明は、請求項１〜請求項３のいずれか一項に記載の情報コンセントにおいて、前記加入者線接続部及び前記メタル線接続部と、前記光ケーブル接続部とは、前記造営材に別個に取り付けられることを要旨とする。
【００１９】
この発明によれば、加入者線接続部及びメタル線接続部の施工と、光ケーブル接続部の施工とを別々に行うことが可能となる。したがって、加入者線接続部及びメタル線接続部の施工をした後、光ケーブル接続部の施工を行う場合、加入者線接続部及びメタル線接続部を一度造営材から取り外す作業を行う必要がなくなり、光ケーブル接続部の施工を容易に行うことができる。
【００２０】
請求項５に記載の発明は、請求項１〜請求項４のいずれか一項に記載の情報コンセントにおいて、当該情報コンセントには、前記加入者線接続部及び前記メタル線接続部の前記造営材からの高さを調整する高さ調整部材が取り付けられることを要旨とする。
【００２１】
この発明によれば、高さ調整部材を加入者線接続部及びメタル線接続部に取り付けて、造営材からの高さを調整することにより、加入者線接続部、メタル線接続部、及び光ケーブル接続部の造営材の表面からの高さが互いに略一致させることが可能となる。したがって、加入者線接続部、メタル線接続部、及び光ケーブル接続部の造営材の表面からの高さに差が少なくなる、或いは差がなくなるため、ハウジングの表面を段差のない平面形状とすることが可能となる。その結果、ハウジングの表面を段差が設けられた形状と比較して、情報コンセントのデザイン性を向上することができる。
【００２２】
請求項６に記載の発明は、請求項１〜請求項５のいずれか一項に記載の情報コンセントにおいて、前記ハウジングには、前記造営材の裏面から引き出された前記第１光ケーブルの前記プラグが挿通可能な貫通孔が設けられることを要旨とする。
【００２３】
従来構造の情報コンセントでは、光ケーブルを造営材の裏面側から表面側に引き出す作業の前に、光ケーブルとプラグとを接続する作業を行った場合、情報コンセントから光ケーブルを第２の通信機器に向かい引き出すことができなくなっていた。その結果、光ケーブルを交換しなければならなかった。その点において、本発明では、第１光ケーブルを光接続具に接続する作業時において、ハウジングに貫通孔が設けられることにより、第１光ケーブルとプラグとを接続する作業と、第１光ケーブルを造営材の裏面側から表面側に引き出す作業との順番をなくすことが可能となる。したがって、上記作業の順番を間違えたとしても、第１光ケーブルを全て交換する必要がなくなる。その結果、前記従来構造と比較して、情報コンセントの光ケーブルの配線を容易に行うことができる。
【００２４】
請求項７に記載の発明は、請求項１〜請求項６のいずれか一項に記載の情報コンセントにおいて、前記ハウジングの裏面には、耐火パネルが設けられることを要旨とする。
この発明によれば、ハウジングの裏面に耐火パネルが設けられることにより、耐火パネルの形状を簡素化することができるとともに、情報コンセントの簡易耐火性能を向上させることができる。
【００２５】
請求項８に記載の発明は、請求項１〜請求項７のいずれか一項に記載の情報コンセントにおいて、前記ハウジングには、テレビ用同軸ケーブルが挿通可能な貫通孔と、前記テレビ用同軸ケーブルを保持する保持部とが設けられることを要旨とする。
【００２６】
この発明によれば、情報コンセントがテレビ用同軸ケーブルにも適用することが可能となり、ＦＴＴＨに加え、ＣＡＴＶによるインターネット接続のサービスにも対応することができる。したがって、情報コンセントの汎用性を向上させることができる。
【発明の効果】
【００２７】
本発明によれば、汎用性のある情報コンセントにおいて、ＦＴＴＨの先行配線が可能となるとともに、光ケーブルの交換作業が容易な情報コンセントを提供することができる。
【発明を実施するための最良の形態】
【００２８】
（第１の実施形態）
図１〜図１２を参照して、本発明の情報コンセントを具体化した第１の実施形態について説明する。
【００２９】
まず、図１を参照して、家屋等の造営物にＦＴＴＨにて配線される回線の構成について説明する。
図１に示すように、造営物の壁面に設けられた情報コンセント１は、屋外の電線と接続するキャビネット２と第１光ケーブルＣ１よって接続されている。また、情報コンセント１は、造営物の情報コンセント１が配置された部屋以外の部屋に設けられたコンセント４，５と壁面の内側に配線された第１ＬＡＮケーブルＬ１及び第１加入者線Ｋ１のそれぞれによって接続されている。
【００３０】
また、情報コンセント１は、通信機器であるＯＮＵ３と第２光ケーブルＣ２にて接続されている。そして、ＯＮＵ３は、第２ＬＡＮケーブルＬ２によって通信機器であるルータ６に接続されている。また、情報コンセント１のＬＡＮケーブル接続部２０は、それぞれ第３ＬＡＮケーブルＬ３によってルータ６に接続されている。そして、ルータ６は、第４ＬＡＮケーブルＬ４によってパソコン７に接続されている。また、加入者線接続部３０は、第２加入者線Ｋ２によって、電話機８に接続されている。
【００３１】
この構成により、光ケーブルによる通信サービス、ＡＤＳＬによる通信サービスや電話機やファクシミリをこの一つの情報コンセント１にて対応することができる。また、情報コンセント１とコンセント４，５とが互いに接続されることにより、各部屋においても、コンセント４，５とパソコン７及びファクシミリ９とを第５ＬＡＮケーブルＬ５や第３加入者線Ｋ３にて接続するのみにて、ＡＤＬＳによる通信サービスやファクシミリを使用することができる。
【００３２】
次に、図２及び図３を参照して、情報コンセント１の全体構成について説明する。以降では、情報コンセント１において、カバー４２及び化粧プレート４３が配置される側を「表側」とし、耐火パネル５０，５１が配置される側を「裏側」とする。また、情報コンセント１の短手方向を「短手方向」とし、情報コンセント１の長手方向を「長手方向」とする。そして、短手方向及び長手方向において、情報コンセント１の内部側を「内側」とし、情報コンセント１の外部側を「外側」とする。
【００３３】
図２に示すように、情報コンセント１は、第１光ケーブルＣ１(図1参照)を接続するレセクタプル１１を有する光コンセント部１０（光ケーブル接続部）と、第１ＬＡＮケーブルＬ１及び第３ＬＡＮケーブルＬ３(図1参照)を接続する複数のＬＡＮモジュラジャック２１を有するＬＡＮケーブル接続部２０（メタル線接続部）と、第１加入者線Ｋ１及び第２加入者線Ｋ２（図１参照）をそれぞれ接続する加入者線モジュラジャック３１を有する加入者線接続部３０とにより構成されている。そして、光コンセント部１０、ＬＡＮケーブル接続部２０、及び加入者線接続部３０は、情報コンセント１の外枠を構成するハウジング４０により一体的に収容されている。
【００３４】
ハウジング４０は、レセクタプル１１が表側から取り付けられるとともに、ＬＡＮケーブル接続部２０、及び加入者線接続部３０がプレートねじＢ１により裏側から固定されるボディ４１を有している。そして、ボディ４１の表側には、情報コンセント１の表面を構成するカバー４２及び化粧プレート４３が取り付けられ、ボディ４１の裏側には、ＬＡＮケーブル接続部２０及び加入者線接続部３０を壁面に固定する継枠４４（高さ調整部材）が取り付けられている。
【００３５】
また、継枠４４の裏面側及びボディ４１の光コンセント部１０が形成される部位の裏側には、それぞれ耐火パネル５０，５１が固定されている。即ち、耐火パネル５０，５１は、ハウジング４０の裏面側に取り付けられている。以下、光コンセント部１０及び耐火パネル５０，５１以外の各構成要素についてそれぞれ説明する。
【００３６】
ＬＡＮケーブル接続部２０は、３個のＬＡＮモジュラジャック２１を取付枠２２に取り付けることにより構成されている。
加入者線接続部３０は、加入者線モジュラジャック３１が取付枠３２に取り付けられることにより構成されている。
【００３７】
ハウジング４０のボディ４１には、光コンセント部１０を形成する光コンセント形成部４１ａと、ＬＡＮケーブル接続部２０及び加入者線接続部３０を固定する固定部４１ｂとが設けられている。固定部４１ｂには、表側に向かい突出する枠形状の枠体部４１１が設けられている。そして、枠体部４１１には、ＬＡＮモジュラジャック２１及び加入者線モジュラジャック３１を表面側に露出するための開口穴４１２が形成されている。そして、カバー４２及び化粧プレート４３は、それぞれボディ４１の光コンセント形成部４１ａ及び固定部４１ｂに取り付けられる。
【００３８】
継枠４４は、樹脂材料を射出成形することにより一体的に成形されている。そして、継枠４４は、取付枠２２，３２が当接する外枠部４４ａと、ＬＡＮモジュラジャック２１と加入者線モジュラジャック３１とを仕切る仕切板４４ｂとにより構成されている。この仕切板４４ｂにより、継枠４４には、ＬＡＮモジュラジャック２１を挿通する第１挿通孔４４ｃと、加入者線モジュラジャック３１を挿通する第２挿通孔４４ｄとが形成されている。そして、図３に示すように、第１挿通孔４４ｃの長手方向の幅Ｗ１の大きさは、第２挿通孔４４ｄの長手方向の幅Ｗ２の大きさよりも大きく形成されている。これにより、第１挿通孔４４ｃは、加入者線モジュラジャック３１の長手方向の幅の大きさよりも大きい長手方向の幅を有するＬＡＮモジュラジャック２１を挿通可能とすることができる。
【００３９】
次に、図２及び、図４〜図６を参照して、光コンセント部１０の構成について説明する。
図４に示すように、光コンセント部１０は、第１光ケーブルＣ１（図１参照）の余長部を収容する余長収容部６０と、レセクタプル１１を保持するレセクタプル保持部７０とを有している。これら余長収容部６０及びレセクタプル保持部７０は、それぞれ光コンセント形成部４１ａに設けられている。また、レセクタプル保持部７０の下部には、レセクタプル１１を露出するための貫通孔１２が形成されている。
【００４０】
また、第１光ケーブルＣ１は、レセクタプル１１に光学的に接続されるプラグＣ１１と、プラグＣ１１から引き出されるケーブル部Ｃ１２とにより構成されている。なお、本実施形態のプラグＣ１１には、外被把持型のＳＣプラグが用いられている。
【００４１】
図５に示すように、余長収容部６０は、第１光ケーブルＣ１を挿通する貫通孔６１と、第１光ケーブルＣ１を巻き付ける外側巻付部６２及び内側巻付部６３と、内側巻付部６３に巻き付けられた第１光ケーブルＣ１を保持するケーブル保持部６４とにより構成されている。
【００４２】
貫通孔６１は、第１光ケーブルＣ１のプラグＣ１１が挿通可能な大きさに設定されている。この貫通孔６１の構成により、第１光ケーブルＣ１のケーブル部Ｃ１２にプラグＣ１１を取り付けた状態において、情報コンセント１の裏側より表側に第１光ケーブルＣ１を引き出すことが可能となる。
【００４３】
外側巻付部６２は、底部４１３から表側に延設されるとともに、略Ｃ形状に形成された突起である。そして、外側巻付部６２の各曲面部６２ａは、ケーブル部Ｃ１２の許容最小曲率半径よりも大きくなるように形成されている。また、各曲面部６２ａには、ケーブル部Ｃ１２が外側巻付部６２から外れることを抑制する突起部６２ｂが設けられている。
【００４４】
内側巻付部６３は、外側巻付部６２よりも内側に設けられる。そして、内側巻付部６３は、底部４１３から表側に延設されるとともに、略円環状に形成された突起である。そして、内側巻付部６３の各曲面部６３ａは、ケーブル部Ｃ１２の許容最小曲率半径よりも大きくなるように形成されている。また、内側巻付部６３の各曲面部６３ａには、ケーブル部Ｃ１２が内側巻付部６３から外れることを抑制する突起部６３ｂが設けられている。
【００４５】
また、図４に示すように、内側巻付部６３は、外側巻付部６２よりも表側に突出している。ここで、外側巻付部６２の底部４１３から高さＨ１は、ケーブル部Ｃ１２を一回巻き付けるのみの高さである。一方、内側巻付部６３の底部４１３からの高さＨ２は、ケーブル部Ｃ１２を２回〜３回程度巻き付けることが可能な高さである。また、ケーブル保持部６４の底部４１３からの高さは、内側巻付部６３の高さＨ２と略同一である。
【００４６】
レセクタプル保持部７０は、図２に示すように、光コンセント形成部４１ａの底部４１３から表側に延設される一対の係止部７１と、この一対の係止部７１の間に配置されるとともに、底部４１３から表側に延設される突起部７２とにより構成されている。この突起部７２にレセクタプル１１が当接することにより、レセクタプル１１の底部４１３からの表側の高さが設定されている。そして、突起部７２及び一対の係止部７１にレセクタプル１１が挟まれることにより、レセクタプル１１は、レセクタプル保持部７０に保持される。この突起部７２の高さは、第１光ケーブルＣ１のケーブル部Ｃ１２よりも高くなるように設定されている。
【００４７】
次に、図６及び図７を参照して、第１光ケーブルＣ１が光コンセント部１０に配線された状態の構造について説明する。
図６に示すように、第１光ケーブルＣ１は、貫通孔６１により情報コンセント１の裏側から表側に引き出された後、ケーブル部Ｃ１２が外側巻付部６２に表側より見て反時計回りに巻き付けられる。その後、ケーブル部Ｃ１２は、内側巻付部６３に表側より見て反時計回りに巻き付けられる。
【００４８】
ここで、レセクタプル１１が短手方向に沿って保持されているため、プラグＣ１１も短手方向に沿って延設されるようになる。この構成により、プラグＣ１１が裏側から表側に向かい延設される場合、及びプラグＣ１１が短手方向に向かうにつれて表側に傾斜する構造の場合と比較して、プラグＣ１１の壁面Ｑ１から表側に沿う高さを低くすることができる。
【００４９】
また、ケーブル保持部６４は、外側巻付部６２と内側巻付部６３との間に設けられている。そして、ケーブル保持部６４は、第１光ケーブルＣ１のプラグＣ１１のケーブル部Ｃ１２が挿入される背面Ｃ１３の付近に設けられている。より具体的には、ケーブル保持部６４は、プラグＣ１１の背面Ｃ１３より短手方向の外側に近接して配置されている。また、ケーブル保持部６４は、短手方向に沿って延設されている。
【００５０】
ここで、ケーブル保持部６４と長手方向に対して対向する内側巻付部６３には、ケーブル保持部６４と平行となる、即ち、短手方向に沿って延設される直線部６３ｃが設けられている。ケーブル部Ｃ１２のうちのプラグＣ１１と連結する連結部Ｃ１４を直線部６３ｃとケーブル保持部６４とで挟むことにより、連結部Ｃ１４を短手方向に沿って配線することが可能となる。
【００５１】
次に、図８〜図１０を参照して、造営材である壁面に情報コンセント１を取り付ける構造について説明する。
図８に示すように、情報コンセント１は、造営材である壁面Ｑ１に設けられた壁面Ｑ１の表面Ｑ２と裏面Ｑ３とを貫通する開口穴Ｑ４に、ＬＡＮケーブル接続部２０、及び加入者線接続部３０が挿通可能に配置されている。また、開口穴Ｑ４は、光コンセント部１０に対応している。即ち、壁面Ｑ１の裏面Ｑ３側に配線された第１光ケーブルＣ１は、開口穴Ｑ４を介して、光コンセント部１０の貫通孔６１（図４参照）から情報コンセント１の表側に引き出される。
【００５２】
壁面Ｑ１の裏面Ｑ３側には、スイッチボックス（不図示）が取り付けられている。そして、壁面Ｑ１の表面Ｑ２側には、継枠４４が取り付けられている。ここで、ＬＡＮケーブル接続部２０の取付枠２２及び加入者線接続部３０の取付枠３２は、それぞれスイッチボックスにねじＢ２により固定されている。この状態において、図８に示すように、取付枠２２，３２と壁面Ｑ１とにより、継枠４４は挟まれている。
【００５３】
次いで、ボディ４１を壁面Ｑ１に取り付ける。具体的には、ボディ４１の固定部４１ｂの枠体部４１１内に継枠４４を収容する。そして、枠体部４１１と取付枠２２，３２をプレートねじＢ１により固定する。また、光コンセント形成部４１ａに設けられた貫通孔４１４にボルトＢ３を挿入する。このボルトＢ３は、スイッチボックスに固定される。これらにより、ボディ４１は、壁面Ｑ１に取り付けられる。
【００５４】
最後に、カバー４２及び化粧プレート４３をボディ４１にそれぞれ取り付ける。具体的には、カバー４２をボディ４１の光コンセント形成部４１ａに、化粧プレート４３を固定部４１ｂにそれぞれ嵌合する。以上により、情報コンセント１は、壁面Ｑ１に取り付けられる。
【００５５】
また、図９及び図１０に示すように、２個の耐火パネル５０，５１は、継枠４４の裏側、及びボディ４１の光コンセント形成部４１ａの裏側にそれぞれ固定されている。即ち、耐火パネル５０は、ＬＡＮケーブル接続部２０及び加入者線接続部３０の裏側を覆い、耐火パネル５１は、光コンセント部１０の裏側を覆う。
【００５６】
ここで、継枠４４は、耐火パネル５０が継枠４４の裏側に取り付けられた状態において、壁面に取り付けられる。そして、ボディ４１は、耐火パネル５１がボディ４１の光コンセント形成部４１ａの裏側に取り付けられた状態において、壁面に取り付けられる。
【００５７】
耐火パネル５０には、ＬＡＮケーブル接続部２０の裏側の一部が挿入される第１挿入孔５０ａと、加入者線接続部３０の裏側の一部が挿入される第２挿入孔５０ｂがそれぞれ設けられている。また、耐火パネル５０の短手方向の上端部及び下端部並びに中央部には、継枠４４と係合する突形状の係合部５０ｃがそれぞれ設けられている。これにより、耐火パネル５０は、継枠４４に容易、且つ確実に取り付けられている。
【００５８】
耐火パネル５１には、ボディ４１の光コンセント形成部４１ａの底部４１３の裏面を覆う。そして、耐火パネル５１には、光コンセント形成部４１ａと係合する突形状の係合部５１ａが設けられている。これにより、耐火パネル５１は、ボディ４１に容易、且つ確実に取り付けられている。
【００５９】
次に、図１１及び図１２を参照して、情報コンセントの外観について説明する。
図１１に示すように、情報コンセント１は、カバー４２及び化粧プレート４３により、情報コンセント１の表側が一様な平面となる。具体的には、継枠４４により、ＬＡＮケーブル接続部２０のＬＡＮモジュラジャック２１及び加入者線接続部３０の加入者線モジュラジャック３１が、壁面Ｑ１（図７参照）から表側に突出するため、光コンセント部１０のレセクタプル１１の壁面Ｑ１からの高さと略同等となる。これにより、カバー４２及び化粧プレート４３を長手方向に連続した一面とすることが可能となる。
【００６０】
一方、図１２に示すように、情報コンセント１ａは、カバー４２が化粧プレート４３よりも情報コンセント１ａの表側に突出した形状にて構成されている。具体的には、継枠４４が配置されていないため、ＬＡＮケーブル接続部２０の取付枠２２及び加入者線接続部３０の取付枠３２は、それぞれ壁面Ｑ１に当接した状態において、スイッチボックスに固定されている。図１２の情報コンセント１ａに対して、図１１の情報コンセント１は、カバー４２及び化粧プレート４３が長手方向に連続した一面とすることができるため、デザイン性を向上することが可能となる。
【００６１】
本実施形態の情報コンセント１によれば、以下に示す効果を奏することができる。
（１）本実施形態では、ハウジング４０のボディ４１にレセクタプル１１を保持するレセクタプル保持部７０が設けられる構成である。その上、壁面Ｑ１の裏面Ｑ３側に配線される第１光ケーブルＣ１がこのレセクタプル１１に接続され、第２の通信機器であるＯＮＵ３と接続する第２光ケーブルＣ２がレセクタプル１１に接続される構成である。これらの構成によれば、レセクタプル１１により、光ケーブルを第１光ケーブルＣ１と、第２光ケーブルＣ２とに分けることができる。したがって、図１５に示す従来構造のように単一の光ケーブルを壁面の裏面側からＯＮＵ３まで直接配線する必要がないため、ＦＴＴＨを先行配線することができる。
【００６２】
また、第１光ケーブルＣ１は、壁面Ｑ１の裏面Ｑ３側に配線されるため、第１光ケーブルＣ１が折れてしまう可能性が低い。一方、第２光ケーブルＣ２は、家屋の部屋に配線されるため、例えば、人の足で第２光ケーブルＣ２を引っ掛けてしまうことにより、第２光ケーブルＣ２が折れてしまう場合がある。このような場合において、図１５に示す従来構造では、情報コンセント１００からＯＮＵに向かい引き出された光ケーブルが折れてしまった場合、壁面Ｑ１の裏面Ｑ３側に配線されている光ケーブル全体の交換が必要であった。
【００６３】
その点において、本実施形態の情報コンセント１では、第２光ケーブルＣ２が折れてしまった場合、レセクタプル１１から第２光ケーブルＣ２を取り外して、新たな第２光ケーブルＣ２をレセクタプル１１に接続することにより、光ケーブルによる通信サービスを再度受けることができる。したがって、第１光ケーブルＣ１を交換する必要がなくなるため、従来構造よりも光ケーブルの交換作業を容易に行うことができる。
【００６４】
以上により、本実施形態では、電話機やファクシミリ等の通信機器への対応、及びＡＤＳＬ等の通信サービスに対応するのみではなく、光ケーブルによる通信サービスに対応可能である汎用の情報コンセント１において、ＦＴＴＨの先行配線が可能となるとともに、光ケーブルの交換作業を容易に行うことができる。
【００６５】
（２）本実施形態では、ハウジング４０の光コンセント形成部４１ａに設けられた余長収容部６０がケーブル保持部６４を有する構成である。この構成によれば、第１光ケーブルＣ１のケーブル部Ｃ１２がケーブル保持部６４に接触することにより、ケーブル部Ｃ１２が折れてしまうことを抑制することができるため、外力によりケーブル部Ｃ１２に加わるストレスを抑制することができる。その結果、第１光ケーブルＣ１に加わるストレスに起因する光伝送損失の増大を抑制することができる。
【００６６】
また、ケーブル部Ｃ１２において、プラグＣ１１の背面Ｃ１３との連結部Ｃ１４は、背面Ｃ１３が支点となって折れ曲がることによるストレスを受けやすい部分である。その点において、本実施形態では、ケーブル保持部６４が背面Ｃ１３の付近に配置されることにより、連結部Ｃ１４をケーブル保持部６４と内側巻付部６３の直線部６３ｃとにより挟むことにより保持するため、連結部Ｃ１４の折れ曲がりを抑制することができる。その結果、第１光ケーブルＣ１に加わるストレスに起因する光伝送損失の増大を効果的に抑制することができる。
【００６７】
（３）第１光ケーブルＣ１の余長を収容する作業は、作業者が壁面Ｑ１の表面Ｑ２側、即ち、部屋内から行う。そのため、余長収容部が壁面Ｑ１の裏面Ｑ３側に設けられると、作業者が作業し難い問題がある。その点において、本実施形態では、余長収容部６０が、壁面Ｑ１の表面Ｑ２側に設けられる構成であるため、第１光ケーブルＣ１を外側巻付部６２及び内側巻付部６３に巻き付けるための十分な作業スペースを確保することが可能となる。したがって、第１光ケーブルＣ１の余長を収容する作業を壁面Ｑ１の裏面Ｑ３において行う場合と比較して、同作業の作業性を向上させることができる。その上、余長収容部６０に第１光ケーブルＣ１の余長を収容した後、作業者が目視にて、第１光ケーブルＣ１の巻き付け具合及び曲がり具合を確認することができる。
【００６８】
（４）本実施形態では、ＬＡＮケーブル接続部２０及び加入者線接続部３０を壁面Ｑ１に取り付けることと、第１光ケーブルＣ１をレセクタプル１１への接続することは、別個に行われる構成である。より具体的には、耐火パネル５０を継枠４４に取り付けた状態にて、壁面Ｑ１に継枠４４を取り付け、その継枠４４を介して、スイッチボックスにＬＡＮケーブル接続部２０及び加入者線接続部３０を壁面Ｑ１に取り付ける作業と、光コンセント部１０を形成する光コンセント形成部４１ａを有するボディ４１を壁面Ｑ１に取り付ける作業とが、別個に行われる。
【００６９】
特に、第１光ケーブルＣ１を配線する業者は、専門家である必要があるため、ＬＡＮケーブル接続部２０及び加入者線接続部３０を配線する業者とは、別の業者であることが多い。その点において、本実施形態では、ＬＡＮケーブル接続部２０及び加入者線接続部３０を壁面Ｑ１に取り付ける作業と、光コンセント形成部４１ａを有するボディ４１を壁面Ｑ１に取り付ける作業とが別個に行うことが可能であるため、別々の業者であっても良好に作業することができる。具体的には、例えば、一の業者がＬＡＮケーブル接続部２０及び加入者線接続部３０を壁面Ｑ１に取り付ける作業を行った後、他の業者が、第１光ケーブルＣ１をレセクタプル１１に接続する作業を行う場合において、ＬＡＮケーブル接続部２０及び加入者線接続部３０を壁面Ｑ１に取り付けた状態において、ボディ４１を壁面Ｑ１から外すことによりその作業を行うことができる。したがって、他の業者が、ＬＡＮケーブル接続部２０及び加入者線接続部３０を壁面Ｑ１から外さなくてもよいため、第１光ケーブルＣ１をレセクタプル１１に接続する作業を容易に行うことができる。
【００７０】
（５）本実施形態では、継枠４４をＬＡＮケーブル接続部２０及び加入者線接続部３０に取り付けることにより、ＬＡＮケーブル接続部２０及び加入者線接続部３０の壁面Ｑ１から表側の高さと、光コンセント部１０の壁面Ｑ１から表側の高さとを略一致させることが可能となる。したがって、ＬＡＮケーブル接続部２０及び加入者線接続部３０の壁面Ｑ１から表側の高さと、光コンセント部１０の壁面Ｑ１から表側の高さとの差が少なくなる、或いは差がなくなるため、カバー４２及び化粧プレート４３のそれぞれの表面を長手方向において連続した一面に形成することができる。その結果、図１１に示すカバー４２及び化粧プレート４３との間に段差が形成された情報コンセント１ａと比較して、デザイン性を向上させることができる。
【００７１】
また、継枠４４を設けることにより、ＬＡＮケーブル接続部２０及び加入者線接続部３０の壁面Ｑ１から表側の高さを調整するために、例えば、取付枠２２，３２の形状を変更することがないため、既存の取付枠２２，３２を用いることができる。
【００７２】
（６）従来構造の情報コンセントでは、光ケーブルを壁面Ｑ１の裏面Ｑ３側から情報コンセントの表側に引き出す作業の前に、光ケーブルのケーブル部とプラグとを接続する作業を行った場合、情報コンセントから光ケーブルをＯＮＵ３に向かい引き出すことができなくなっていた。その結果、光ケーブル自体を交換しなければならなかった。
【００７３】
その点において、本実施形態では、ボディ４１の光コンセント形成部４１ａには、第１光ケーブルＣ１のプラグＣ１１が挿通可能な貫通孔６１が設けられる構成である。この構成によれば、第１光ケーブルＣ１のプラグＣ１１が取り付けられた状態において、ボディ４１に対して挿通可能となるため、第１光ケーブルＣ１にプラグＣ１１を取り付ける作業と、第１光ケーブルＣ１を壁面Ｑ１の裏面Ｑ３側から情報コンセント１の表側に引き出す作業との順番をなくすことが可能となる。したがって、上記作業の順番を間違えたとしても、第１光ケーブルＣ１を交換する必要がなくなる。その結果、従来構造と比較して、情報コンセント１の第１光ケーブルＣ１の配線を容易に行うことができる。
【００７４】
（７）本実施形態では、継枠４４の裏側に耐火パネル５０を取り付け、ボディ４１の光コンセント形成部４１ａの裏側に耐火パネル５１を取り付ける構成である。この構成によれば、情報コンセント１の簡易耐火性能を向上させることができる。
【００７５】
また、これら耐火パネル５０，５１をハウジング４０の表側、即ち、カバー４２及び化粧プレート４３とボディ４１との間に配置した場合、情報コンセント１の簡易耐火性能を向上させるために、耐火パネル５０，５１はカバー４２及び化粧プレート４３の裏面の形状に沿った形状にしなければならない。そのために、耐火パネル５０，５１の形状は複雑に形成しなければならなかった。その点において、本実施形態では、耐火パネル５０，５１は、継枠４４の裏側及び光コンセント形成部４１ａの裏側に取り付けられるため、耐火パネル５０，５１の形状は、略平面形状にて形成することができる。したがって、耐火パネル５０，５１の形状を簡素化することができる。
【００７６】
（８）本実施形態では、第１光ケーブルＣ１のプラグＣ１１が短手方向に沿って配置される構成である。即ち、プラグＣ１１とレセクタプル１１とが短手方向において接続される構成である。この構成によれば、プラグＣ１１とレセクタプル１１とが短手方向に対して傾いて、即ち、短手方向の外側に向かうにつれて、表側に傾斜して接続される場合と比較して、プラグＣ１１及びレセクタプル１１の壁面Ｑ１から表側の高さを低くすることができる。その結果、情報コンセント１の壁面Ｑ１からの厚みを薄くすることができる。
【００７７】
（９）本実施形態では、外側巻付部６２及び内側巻付部６３のそれぞれに突起部６２ｂ，６３ｂが設けられる構成である。この構成によれば、外側巻付部６２及び内側巻付部６３に巻き付けられた第１光ケーブルＣ１のケーブル部Ｃ１２が外れようとしたとしても、突起部６２ｂ，６３ｂと接触することにより、ケーブル部Ｃ１２の外側巻付部６２及び内側巻付部６３からの外れを抑制することができる。
【００７８】
特に、突起部６２ｂ，６３ｂは、外側巻付部６２及び内側巻付部６３の曲面部６２ａ，６３ａに設けられる構成である。この構成によれば、曲面部６２ａ，６３ａでは、ケーブル部Ｃ１２が外側巻付部６２及び内側巻付部６３に接触した状態を維持しているため、突起部６２ｂ，６３ｂの大きさを小さくすることができるとともに、確実にケーブル部Ｃ１２が外側巻付部６２及び内側巻付部６３から外れてしまうことを抑制することができる。
【００７９】
（第２の実施形態）
図１３及び図１４を参照して、本発明の情報コンセントを具体化した第２の実施形態について説明する。
【００８０】
図１３に示すように、情報コンセント１の光コンセント部１０を構成するボディ４１の光コンセント形成部４１ａの長手方向の中央部及び短手方向の中央部には、ケーブルテレビ用の同軸ケーブルＴＣが挿通可能な開口穴４１５が設けられている。そして、内側巻付部６３において、開口穴４１５の短手方向の外側には、同軸ケーブルＴＣが通るスペースを確保する切欠部４１６が設けられている。
【００８１】
また、光コンセント形成部４１ａの切欠部４１６の短手方向の外側には、同軸ケーブルＴＣを情報コンセント１より外部へ挿通可能とするためのノックアウト４１７が設けられている。このノックアウト４１７は、光コンセント形成部４１ａから容易に取り外しを可能とするための切込み部４１８を設けた構造である。
【００８２】
また、図１４に示すように、ノックアウト４１７を光コンセント形成部４１ａから取り外した状態において、開口穴４１５から引き出された同軸ケーブルＴＣをノックアウト４１７に挿通する。そして、ノックアウト４１７に同軸ケーブルＴＣを挿通した状態において、光コンセント形成部４１ａに設けられたインシュロック固定部４１９により、インシュロック８０を用いて、同軸ケーブルＴＣを光コンセント形成部４１ａに係止している。以上の構成により、情報コンセント１は、ＣＡＴＶのインターネット接続による通信サービスにも対応することが可能となる。
【００８３】
本実施形態の情報コンセント１によれば、第１の実施形態の効果（１）〜（９）に加え、以下に示す効果を奏することができる。
（１０）本実施形態では、情報コンセント１が同軸ケーブルＴＣにも適用可能となるため、情報コンセント１は、ＣＡＴＶのインターネット接続による通信サービスにも対応することができる。したがって、情報コンセント１の汎用性を向上させることができる。
【００８４】
また、ノックアウト４１７を設けることにより、同軸ケーブルＴＣを適用しないときには、ノックアウト４１７が光コンセント形成部４１ａに取り付けられた状態にて維持されるため、情報コンセント１の外部から光コンセント形成部４１ａに埃等の異物の侵入を抑制することができる。そして、同軸ケーブルＴＣを用いるときには、切込み部４１８によりノックアウト４１７が容易に光コンセント形成部４１ａから取り外し可能であるため、作業者が同軸ケーブルＴＣの配線作業を容易に行うことができる。
【００８５】
（その他の実施形態）
本発明の情報コンセントは、上記に例示した実施形態に限定されることなく、以下のように変更することができる。
【００８６】
・上記実施形態では、継枠４４において、外枠部４４ａに仕切板４４ｂを設ける構成としたが、継枠４４の形状はこれに限定されることはない。例えば、仕切板４４ｂがない構成であってもよい。この仕切板４４ｂがない構成によれば、ＬＡＮケーブル接続部２０及び加入者線接続部３０のそれぞれを継枠４４に対して挿通可能となる。したがって、ＬＡＮケーブル接続部２０及び加入者線接続部３０のそれぞれに壁面Ｑ１の裏面Ｑ３側に配線されたケーブルを取り付けた状態において、ＬＡＮケーブル接続部２０及び加入者線接続部３０の継枠４４に対する位置を間違えた場合、ＬＡＮケーブル接続部２０及び加入者線接続部３０の継枠４４に対する位置を容易に修正することができる。即ち、仕切板４４ｂがなくなるため、外枠部４４ａ内にＬＡＮケーブル接続部２０及び加入者線接続部３０の移動が容易となる。
【図面の簡単な説明】
【００８７】
【図１】本発明の情報コンセントを具体化した第１の実施形態について、同情報コンセントを用いた造営物の光ケーブル、ＬＡＮケーブル、及び加入者線の配線を示す模式図。
【図２】同実施形態の情報コンセントについて、同情報コンセントの分解斜視構造を示す分解斜視図。
【図３】同実施形態の情報コンセントについて、継枠の平面構造を示す平面図。
【図４】同実施形態の情報コンセントについて、同情報コンセントの光コンセント部に光ケーブルを挿通した状態の斜視構造を示す斜視図。
【図５】同実施形態の情報コンセントについて、同情報コンセントに光ケーブルを挿通した状態の正面構造を示す正面図。
【図６】同実施形態の情報コンセントについて、同情報コンセントに光コンセント部に光ケーブルを取り付けた状態の斜視構造を示す斜視図。
【図７】同実施形態の情報コンセントについて、同情報コンセントに光ケーブルを取り付けた状態の正面構造を示す正面図。
【図８】同実施形態の情報コンセントについて、同情報コンセントを壁面に取り付ける構造の分解斜視構造を示す斜視図。
【図９】同実施形態の情報コンセントについて、同情報コンセントに耐火パネルを取り付ける前の状態の分解斜視構造を示す斜視図。
【図１０】同実施形態の情報コンセントについて、同情報コンセントに耐火パネルを取り付けた後の状態の斜視構造を示す斜視図。
【図１１】同実施形態の情報コンセントについて、同情報コンセントの斜視構造を示す斜視図。
【図１２】比較例の情報コンセントについて、同情報コンセントの斜視構造を示す斜視図。
【図１３】本発明の情報コンセントを具体化した第２の実施形態について、同情報コンセントからカバーを取り外した状態の斜視構造を示す斜視図。
【図１４】同実施形態の情報コンセントについて、同情報コンセントに同軸ケーブルを挿通した状態の斜視構造を示す斜視図。
【図１５】従来の情報コンセントについて、同情報コンセントの斜視構造を示す斜視図。
【符号の説明】
【００８８】
Ｂ１…プレートねじ、Ｂ２…ねじ、Ｂ３…ボルト、Ｃ１…第１光ケーブル、Ｃ１１…プラグ、Ｃ１２…ケーブル部、Ｃ１３…背面、Ｃ１４…連結部、Ｃ２…第２光ケーブル、ＣＴ…同軸ケーブル、Ｋ１…第１加入者線、Ｋ２…第２加入者線、Ｋ３…第３加入者線、Ｌ１…第１ＬＡＮケーブル（メタル線）、Ｌ２…第２ＬＡＮケーブル、Ｌ３…第３ＬＡＮケーブル（メタル線）、Ｌ４…第４ＬＡＮケーブル、Ｌ５…第５ＬＡＮケーブル、Ｑ１…壁面、Ｑ２…表面、Ｑ３…裏面、Ｑ４…開口穴、１…情報コンセント、１ａ…比較例の情報コンセント、２…キャビネット、３…ＯＮＵ（第２の通信機器）、４，５…コンセント、６…ルータ（第１の通信機器）、７…パソコン、８…電話機、９…ファクシミリ、１０…光コンセント部（光ケーブル接続部）、１１…レセクタプル（光接続具）、１２…貫通孔、２０…ＬＡＮケーブル接続部（メタル線接続部）、２１…ＬＡＮモジュラジャック、２２…取付枠、３０…加入者線接続部、３１…加入者線モジュラジャック、３２…取付枠、４０…ハウジング、４１…ボディ、４１ａ…光コンセント形成部、４１ｂ…固定部、４１１…枠体部、４１２…開口穴、４１３…底部、４１４…貫通孔、４１５…開口穴、４１６…切欠部、４１７…ノックアウト、４１８…切込部、４１９…インシュロック固定部、４２…カバー、４３…化粧プレート、４４…継枠（高さ調整部材）、４４ａ…外枠部、４４ｂ…仕切板、４４ｃ…第１挿入部、４４ｄ…第２挿入部、５０，５１…耐火パネル、６０…余長収容部、６１…貫通孔、６２…外側巻付部、６２ａ…曲面部、６２ｂ…突起部、６３…内側巻付部、６３ａ…曲面部、６３ｂ…突起部、６３ｃ…直線部、６４…ケーブル保持部、７０…レセクタプル保持部、７１…係止部、７２…突起部、８０…インシュロック。
【図１】
2010146970.tif 000003
【図２】
2010146970.tif 000004
【図３】
2010146970.tif 000005
【図４】
2010146970.tif 000006
【図５】
2010146970.tif 000007
【図６】
2010146970.tif 000008
【図７】
2010146970.tif 000009
【図８】
2010146970.tif 000010
【図９】
2010146970.tif 000011
【図１０】
2010146970.tif 000012
【図１１】
2010146970.tif 000013
【図１２】
2010146970.tif 000014
【図１３】
2010146970.tif 000015
【図１４】
2010146970.tif 000016
【図１５】
2010146970.tif 000017